(57)【要約】【課題】  本発明は合成樹脂材を混用しない繊維質即ちパルプモウルド成形物、段ボールシート、クラフト紙又は布等を用い強度、製造方法及び使い勝手に勝れた隅角３面被覆ボードによる汎用コーナーパットを得ることを目的とする。【解決手段】  パルプモウルドによる複数の截頭錐形中空台１を縦横に整然と並列し、底部１’を接続してなる中芯２と、上記中空台１の底部１’及び頂部１”にライナー３，３’を貼着して１体のボード４を形成し、底部１’のライナー３を外側に配置して上記ボード４を３方に直交させ、互に直交する外側ライナー３を１体に接続した３面パット５よりなる隅角緩衝材。【選択図】図１
2008081197.tif 000002
【特許請求の範囲】
【請求項１】
パルプモウルドによる複数の截頭錐形中空台を縦横に整然と並列し、底部を接続してなる中芯と、
上記中空台の底部及び頂部にライナーを貼着して１体のボードを形成し、
底部のライナーを外側に配置して上記ボードを３方に直交させ、互に直交する外側ライナーを１体に接続した３面パットよりなる隅角緩衝材。
【請求項２】
上記ライナーが段ボールシートである請求項１記載の隅角緩衝材。
【請求項３】
上記ライナーがクラフト紙、美粧紙又は布地である請求項１又は２記載の隅角緩衝材。
【請求項４】
１対の上記３面パットの互に直交する２面外側ライナーを共通となし、該１対の３面パットを接続した請求項１〜３のいずれかに記載の隅角緩衝材。
【発明の詳細な説明】
【技術分野】
【０００１】
本発明は重量又は軽量製品の隅角部を搬送時に防護する隅角緩衝材に関するものである。
【背景技術】
【０００２】
従来、重量又は軽量物の搬送時に隅角部を防護する隅角緩衝材は夙に開発された（例えば特許文献１、２、３、４）
【０００３】
ところで既開発隅角緩衝材は隅角３面がパルプモウルドのみ又は段ボールシートのみによって構成され、何れも強度、製造法及び使い勝手において問題があった（例えば特許文献１、２、３、４）。
【０００４】
本発明は方形状の重量又は軽量物を梱包固定する場合、強度充分で使い勝手良好で量産に適し、かつ繊維質による産業廃棄物となる汎用コーナーパットを得ることを目的とする。
【０００５】
【特許文献１】特公昭６２−２００９８号
【特許文献２】特公平２−１７５１号
【特許文献３】新案登録第３０００３０１号
【特許文献４】特開２０００−１６８８４２号
【発明の開示】
【発明が解決しようとする課題】
【０００６】
本発明は合成樹脂材を混用しない繊維質即ちパルプモウルド成形物、段ボールシート、クラフト紙又は布等を用い強度、製造方法及び使い勝手に勝れた隅角３面被覆ボードによる汎用コーナーパットを得ることを目的とする。
【課題を解決するための手段】
【０００７】
上記の目的を達成するため本発明は
第１にパルプモウルドによる複数の截頭錐形中空台を縦横に整然と並列し、底部を接続してなる中芯と、上記中空台の底部及び頂部にライナーを貼着して１体のボードを形成し、底部のライナーを外側に配置して上記ボードを３方に直交させ、互に直交する外側ライナーを１体に接続した３面パットよりなる隅角緩衝材、
第２に上記ライナーが段ボールシートである上記第１発明記載の隅角緩衝材、
第３に上記ライナーがクラフト紙、美粧紙又は布地である上記第１又は第２発明記載の隅角緩衝材、
第４に１対の上記３面パットの互に直交する２面外側ライナーを共通となし、該１対の３面パットを接続した上記第１〜第３発明のいずれかに記載の隅角緩衝材、
によって構成される。
【０００８】
従って梱包材重の隅角に上記３面パットの上記頂部ライナーを当接し、バンド等で締め付けて隅角に圧接して、これを耐緩衝状態に保護することができる。
【０００９】
その際上記中空台の頂部側ライナーが梱包材表面に接し、底部側ライナーが外側にあって、中空台の底部では各中空部の４方が一体に接続し、外側ライナーと相俟って外側ライナーの強度が内側ライナーの強度よりも大である。
【００１０】
そのため上記３面パットは外側強度が内側より大であり、内側に向って強力性及び緩衝性に富むし、中芯の各中空部が中空截頭錐形パルプモウルドであるため軽量である。
【００１１】
上記中芯は上記中空部を縦横に整然と並列して一体に接続したものであるし、底部及び頂部にライナーを貼着することで構造が簡潔であるため製造容易で使い易い。
【発明の効果】
【００１２】
本発明は上述のように梱包材料の隅角軽くかつ強く密着し、強度及び装着性に勝れ、かつ量販に適する効果がある。
【発明を実施するための最良の形態】
【００１３】
パルプモウルドによる複数の截頭４角（円でもよい）錐形中空台１，１，１・・・を縦横に整然と並列した状態で縦横隣接中空台１，１の底部１’，１’を一体に接続して縦横に隣接する複数の上記中空台１，１，１・・・によって中芯２を金網型により一度に一体抄製し、乾燥させて用いることができる。
【００１４】
上記中芯２は図３及び図６に示すように３個抄製され、先ず頂部１”に段ボールシート、クラフト紙、美粧紙等による外側ライナー３’を接着剤で貼着することによってボード状となり弯曲又は屈曲させることはできない。
【００１５】
その後段ボールシート、クラフト紙、美粧紙等による外側ライナー３を図６折曲線ａに沿って直角に屈曲し、先端部を上記折曲線ａに沿って切込み線ｃを形成し、切込み線ｃと直交する折り曲げ線ａ’，ａ’に沿って直角に折曲し、切込み片６，６を２重に重合貼着して一体の３方屈曲底部ライナー３（外側ライナー）を形成することができる（図６、７）。
【００１６】
上記３方屈曲外側ライナー３の３方向内面３’，３’，３’に図３に示すように３個の上記中芯２，２，２を貼着（接続）することによって３面パット５を形成することができる。
【００１７】
上記中芯２に頂部ライナー３’（内側ライナー）を貼着（接続）する流れ作業と、一体の上記３方屈曲外側ライナー３（底部ライナー）を折曲げ、貼着（接続）する流れ作業と、中芯２の底部と３方屈曲外側ライナー３とを貼着（接続）する流れ作業によって１体の上記３面パット５を流れ作業により製造することができる。
【００１８】
上記流れ作業はロボットによることができる。
【００１９】
上記３面パット５，５を図１、図２に示すように１対に用い、上記３方屈曲外側ライナー３を共通に用い、１対の３面のパット５，５を１対に接続することができる。
【００２０】
尚図１、図２中７は温水器による梱包体、８は締付けバンドである。
【産業上の利用可能性】
【００２１】
本発明では電気洗濯機、電気温水器等の重量物又はプロジェクターやアタッシュケース等の軽量物の隅角部を簡便容易にかつ強度充分にぴったり装着し、かつ製造容易な汎用パットが得られるものである。又重量物或は軽量物の梱包内容物に応じて、緩衝材の厚み即ちパルプモウルドの高さを変えることで緩衝距離を自在に設定することが可能であり、又梱包内容物の緩衝／固定が必要な部分のみにパルプモウルド緩衝材を当て、内容物のサイズに応じて幅、長さ、高さは段ボールシートやクラフト紙等で調整でき、汎用品として使用できる。
【図面の簡単な説明】
【００２２】
【図１】本発明の隅角緩衝材の使用状態を示す斜視図である。
【図２】図１の他の実施例の使用状態を示す斜視図である。
【図３】本発明の隅角緩衝材を示す切欠内側面の斜視図である。
【図４】（イ）図は両ライナーが段ボールシートである図２Ａ−Ａ線による縦断側面図、（ロ）図は両ライナーがクラフト紙である図２Ａ−Ａ線による縦断側面図である。
【図５】図２Ｂ−Ｂ線による隅角緩衝材の正面図である。
【図６】中芯及び両ライナーの分解斜視図である。
【図７】底部ライナーの内部斜視図である。
【符号の説明】
【００２３】
１          截頭錐形中空台
１’        底部
１”        頂部
２          中芯
３          底部（外側）ライナー
３’        頂部（内側）ライナー
３”        直交２面外側ライナー
４          ボード
５          ３面パット
【図１】
2008081197.tif 000003
【図２】
2008081197.tif 000004
【図３】
2008081197.tif 000005
【図４】
2008081197.tif 000006
【図５】
2008081197.tif 000007
【図６】
2008081197.tif 000008
【図７】
2008081197.tif 000009